(57)【要約】【課題】背中側の命綱による吊り下げ状態の時に、股関節周りへの腿帯の圧迫を軽減することができる安全帯を提供する。【解決手段】装着者の両肩に夫々掛け回される一対の肩帯２，３と、装着者の両腿に夫々巻き回される一対の腿帯４，５と、腿帯４，５に接続される脚帯１１と、肩帯２，３と脚帯１１との少なくとも一方が挿通されて命綱を接続する接続部材７と、一対の腿帯４，５同士を連結する連結帯３００とを備える。肩帯２，３と脚帯１１とは、腿帯４，５の前方部分に固定されている。【選択図】図１
2020044144.tif 000002
【特許請求の範囲】
【請求項１】
装着者の両肩に夫々掛け回される一対の肩帯と、装着者の両腿に夫々巻き回される一対の腿帯と、前記腿帯に接続される脚帯と、前記肩帯と前記脚帯との少なくとも一方が挿通されて命綱を接続する接続部材と、一対の前記腿帯同士を連結する連結帯とを備える安全帯において、
前記肩帯と前記脚帯とは、前記腿帯の前方部分に固定されていることを特徴とする安全帯。
【請求項２】
前記肩帯と前記脚帯とは、前記腿帯の前方部分に同一箇所で固定されていることを特徴とする請求項１記載の安全帯。
【請求項３】
前記肩帯と前記脚帯とは、前記腿帯の前方部分であって互いに離間する位置に固定されていることを特徴とする請求項１記載の安全帯。
【請求項４】
前記脚帯は、前記腿帯への固定位置よりも後方から当該固定位置まで前記腿帯に重合する重合部を備え、
前記腿帯は、前記脚帯の固定状態を維持して前記重合部を上方向に脱出自在に収容する収容部を備えることを特徴とする請求項１〜３の何れか１項記載の安全帯。
【請求項５】
前記連結帯には、上方に向かって折り返された折返し部が設けられていることを特徴とする請求項１〜４の何れか１項記載の安全帯。
【発明の詳細な説明】
【技術分野】
【０００１】
本発明は、装着者の両腿に夫々巻き回される一対の腿帯を備える安全帯に関する。
【背景技術】
【０００２】
従来、高い場所で作業する作業員（装着者）に命綱を付けて装着される所謂フルハーネス型の安全帯であり、装着者の両肩に夫々掛け回される一対の肩帯と、装着者の両腿に夫々巻き回される一対の腿帯とを備えるものが知られている（例えば、特許文献１参照）。
【０００３】
所謂フルハーネス型の安全帯では、装着者の右肩に掛け回される右肩帯は、装着者の左腿に巻き回される左腿帯に連結される。反対に装着者の左肩に掛け回される左肩帯は、装着者の右腿に巻き回される右腿帯に連結される。特許文献１の安全帯は、装着者の背中で両肩帯をＸ字状に交差させるパッドを備える所謂Ｘ型安全帯である。
【０００４】
また、装着者の動き易さを向上させるべく、両腿帯から延びる２つの肩帯を装着者の腰のあたりに設けられた結束具で一度まとめるように重ね合わせて、その後、装着者の背中のあたりに位置する分岐部材を用いて対応する装着者の肩に向かうように肩帯をＹ字状に分岐させる安全帯（Ｙ型安全帯）も知られている（例えば、特許文献２参照）。
【０００５】
また、この種の安全帯として、肩帯（及び脚帯）から連続して腰骨あたりで交差させ腿帯を環状に構成たものが知られている（例えば、特許文献３参照）。更に、このものでは、一対の腿帯が互いに離れすぎないように連結帯で連結させている。
【先行技術文献】
【特許文献】
【０００６】
【特許文献１】特開２００６−２２３６３９号公報
【特許文献２】特開２０１３−８１５９７号公報
【特許文献３】特開平１１−３３３０１１号公報
【発明の概要】
【発明が解決しようとする課題】
【０００７】
ところで、上記従来の安全帯は、高所作業時に装着者が背中側に接続された命綱によって吊り下げられた状態になると、肩帯や脚帯によって腿帯が引っ張られ、装着者の股関節周りに腿帯がきつく食い込んだ状態となる。このとき、両腿帯を連結する連結帯が臀部側に位置しても、装着者の背中側の命綱で吊り下げられた状態であるので、両腿帯には前方から後方に向かう引っ張り力が付与されて、連結帯が臀部下から位置ずれして連結帯によって重量（装着者の体重）を殆ど受けることができない。
【０００８】
これにより、股関節周りにきつく食い込んた腿帯によって装着者が苦痛を感じる不都合がある。
【０００９】
本発明は、以上の点に鑑み、背中側の命綱による吊り下げ状態の時に、股関節周りへの腿帯の圧迫を軽減することができる安全帯を提供することを目的とする。
【課題を解決するための手段】
【００１０】
かかる目的を達成するために、本発明は、装着者の両肩に夫々掛け回される一対の肩帯と、装着者の両腿に夫々巻き回される一対の腿帯と、前記腿帯に接続される脚帯と、前記肩帯と前記脚帯との少なくとも一方が挿通されて命綱を接続する接続部材と、一対の前記腿帯同士を連結する連結帯とを備える安全帯において、前記肩帯と前記脚帯とは、前記腿帯の前方部分に固定されていることを特徴とする。なお、本明細書において、前記腿帯の前方部分とは、装着者の腰骨よりも前方に位置する側を指すものとする。
【００１１】
本発明によれば、前記肩帯と前記脚帯とが前記腿帯の前方部分に固定されていることにより、背中側の命綱による吊り下げ状態となると、前記肩帯と前記脚帯とから伝達される装着者の重量（体重）は、前記腿帯の前方部分から斜め後方（腰や背中の方向）への引っ張り力となって、前記腿帯に付与される。
【００１２】
腿帯の前方部分に付与された引っ張り力は、装着者の腿（或いは股関節）の前方部分を上方に引き上げるように作用し、腿帯は前側が高くなり後側が低くなって装着者を支持する。そして、両腿帯を連結している連結帯が装着者の臀部の下側に当たるので、装着者は連結帯に大略着座したような状態となる。これにより、従来のように腿帯の後方や側方から腿帯に引っ張り力が付与された場合に比べて、股関節周りへの腿帯の圧迫や食い込みによる装着者の苦痛を軽減することができる。
【００１３】
本発明において、前記肩帯と前記脚帯とは、前記腿帯の前方部分に同一箇所で固定されていてもよく、或いは、前記腿帯の前方部分であって互いに離間する位置で固定されていてもよい。
【００１４】
また、本発明において、前記脚帯は、前記腿帯への固定位置よりも後方から当該固定位置まで前記腿帯に重合する重合部を備え、前記腿帯は、前記脚帯の固定状態を維持して前記重合部を上方向に脱出自在に収容する収容部を備えることが好ましい。
【００１５】
前記脚帯は、前記重合部を設けることにより弛みを持った状態で前記腿帯に連結固定される。脚帯の弛みとなる重合部は、腿帯の収容部に収容されて、外部から隠蔽されるので外観低下が防止される。
【００１６】
重合部は、装着者の歩行時等に、腿帯の収容部から上方に露出して、脚帯から腿帯への引っ張り力の伝達を比較的小とする。これにより、脚帯による腿帯の動きの制約が緩和されるので、安全帯の装着感を良好とすることができる。
【００１７】
また、本発明において、前記連結帯には、上方に向かって折り返された折返し部が設けられていることが好ましい。連結帯が折返し部を備えることにより、臀部に接する面を比較的広く確保することができる。これにより、装着者が命綱で吊り下げられた状態のとき、装着者の臀部を連結帯が確実に支え、装着者の重量（体重）に伴う腿帯による股関節周りの締め付けを一層確実に軽減することができる。
【図面の簡単な説明】
【００１８】
【図１】本発明の一実施形態の安全帯を示す説明図。
【図２】本実施形態の安全帯の背面側を示す説明図。
【図３】本実施形態の安全帯の環状接続部材とその周辺部分を示す説明図。
【図４】本実施形態の肩帯が一方にずれた状態を示す説明図。
【図５】本実施形態の連結帯を拡大して示す説明図。
【図６】本実施形態の安全帯の装着状態を装着者の後側から示す説明図。
【図７】本実施形態の安全帯の装着状態を装着者の左側から示す説明図。
【図８】脚帯と腿帯の変形例を部分的に示す説明図。
【発明を実施するための形態】
【００１９】
本発明の実施形態を図面に基づいて説明する。図１及び図２示すように、本実施形態の安全帯１は、高所で作業する作業員（装着者）に命綱を付けて装着される所謂フルハーネス型のものであり、装着者の両肩に夫々掛け回される一対の肩帯２，３と、装着者の両腿に夫々巻き回される一対の腿帯４，５と、装着者の腰に巻き回される腰帯６とを備えている。
【００２０】
両肩帯２，３は、同一の帯状の帯状体で構成されており、帯状体の中央部を装着者の背中に位置する環状接続部材７に通してＶ字状に折り返して構成される。環状接続部材７はＤ環８（アンカーリング）が一体に設けられて８字形状となっており、環状接続部材７がＤ環８の位置決めとしてのＤ環止めとしての機能を兼ね備えている。環状接続部材７にはＤ環８を介して命綱が接続される。
【００２１】
肩帯２，３は、装着者の前方側（胸側）を下方に向かって延び、その下端が、夫々、腿帯４，５の前方部分（装着者の腰骨よりも前方に位置する側）に固定されている。
【００２２】
肩帯２，３を腿帯４，５の前方部分に固定することにより、腰帯６に道具袋などを取り付けても肩帯２，３が道具袋などと接触し難く、肩帯２，３が邪魔にならない。
【００２３】
また、腿帯４，５は、連結帯３００によって連結されており、同一の帯状体で２つの輪を作れるように構成される。環状接続部材７には、一対の腿帯４，５の後前方部分に両端が夫々摺動自在に連結固定される脚帯１１が設けられている。脚帯１１は、肩帯２，３と同様に、その中央部で環状接続部材７に挿通されて下方へＶ字状に折り返されている。脚帯１１と肩帯２，３とは、腿帯４，５の前方部分の同一箇所に固定されている。
【００２４】
図３に拡大して示すように、肩帯２，３及び脚帯１１は、肩帯２，３及び脚帯１１の大部分をそれぞれ構成する第１帯体１００と、第１帯体１００よりも短い第２帯体２００とでそれぞれ構成されている。
【００２５】
図３では、第１帯体１００と第２帯体２００とを区別し易くすべく、第２帯体２００にハッチングを施して示している。第１帯体１００は、環状接続部材７に挿入されて折り返されている。第１帯体１００は、環状接続部材７で折り返された部分を軸にＶ字形状に開かれるようにして折り返されている。第２帯体２００は、折り返された第１帯体１００の内側に配置されている。
【００２６】
ここで、環状接続部材７を通って環状接続部材７の一方（例えば装着者の背中に向かう側）から延びる第１帯体１００の部分を第１一方部分１１０、環状接続部材７を通って環状接続部材７の他方（例えば装着者の背中から離隔する側）から延びる第１帯体１００の部分を第１他方部分１２０、環状接続部材７を通って環状接続部材７の一方（例えば装着者の背中に向かう側）から延びる第２帯体２００の部分を第２一方部分２１０、環状接続部材７を通って環状接続部材７の他方（例えば装着者の背中から離隔する側）から延びる第２帯体２００の部分を第２他方部分２２０、とする。
【００２７】
第１一方部分１１０には、第２他方部分２２０の先端が、環状接続部材７から所定の長さだけ離隔した位置で固定されている。第１他方部分１２０には、第２一方部分２１０が、環状接続部材７から所定の長さだけ離隔した位置で固定されている。所定の長さは、安全帯１の安全性に問題がなく、且つ装着者が一方の肩を上方に上げたときに肩帯２，３の長さを微調整できる程度に設定されており、具体的な長さについては安全帯１のサイズ、種類によって異なっている。
【００２８】
両腿帯４，５は、互いに連結帯３００によって連結されている。両腿帯４，５が連結帯３００で連結されることにより、腿帯４，５同士が離れすぎることを防止できる。
【００２９】
図５に示すように、連結帯３００には、連結帯３００の外側（装着者に接触する側とは反対側）から上方に向かって折り返された折返し部３１０が設けられている。折返し部３１０の両端部分は、折り返された状態を維持できるように、腿帯４，５に縫い付けられている。
【００３０】
本実施形態の安全帯１によれば、一対の腿帯４，５を連結する連結帯３００に、上方に向かって折り返された折返し部３１０を設けることにより、図６及び図７に示すように、連結帯３００の側縁（上側の側縁）が装着者の臀部に接触し難くなり、装着者に不快感を与えることなく、連結帯３００の折返し部３１０で装着者の臀部をしっかりと包み込むように支えることができる。
【００３１】
また、本実施形態の安全帯１によれば、脚帯１１と肩帯２，３とが、腿帯４，５の前方部分の同一箇所に固定されていることにより、環状接続部材７のある背中側から命綱による吊り下げ状態となったとき、装着者の重量（体重）が、腿帯４，５の前方部分から斜め後方（腰や背中の方向）への引っ張り力となって、腿帯４，５に付与される。このとき、腿帯４，５は前側が高くなり後側が低くなって装着者を支持する。
【００３２】
そして、両腿帯４，５を連結している連結帯３００が装着者の臀部の下側に当たるので、装着者は連結帯３００に大略着座したような状態となる。これにより、股関節周りへの腿帯４，５の圧迫や食い込みを軽減することができる。よって、吊り下げ状態となった装着者が腿帯４，５から受ける苦痛を軽減することができる。
【００３３】
なお、脚帯１１と肩帯２，３とは、腿帯４，５の前方部分に固定されていれば同一箇所でなくてもよい。即ち、図８Ａに示すように、肩帯２，３と腿帯４，５との縫製による固定位置ａと、脚帯１１と腿帯４，５との縫製による固定位置ｂとが離間していてもよい。図８Ａ及び図８Ｂにおいては、一方の腿帯４及び肩帯２を示しているが、他方の腿帯５及び肩帯３も同様である。
【００３４】
また、図８Ａ及び図８Ｂに示すように、脚帯１１の下端部（腿帯４，５への固定位置ｂよりも後方から当該固定位置ｂまでの部分）に、腿帯４，５に所定の長さ（本実施形態では）重合する重合部１２を形成してもよい。
【００３５】
重合部１２は脚帯１１の下端部を折り返して腿帯４，５に沿わせるようにして形成される。そして、腿帯４，５には、各重合部１２を収容部１３が設けられている。収容部１３は、腿帯４，５を夫々２重に構成してその間に形成されている。重合部１２は、脚帯１１の弛みとして作用する。
【００３６】
装着者の歩行時等に脚帯１１から腿帯４，５に対して上方への引っ張り力が付与されると、図８Ｂに示すように、重合部１２が腿帯４，５の収容部１３から上方に引き出されて、脚帯１１から腿帯４，５に付与される引っ張り力が緩和される。
【００３７】
これにより、装着者が動き易くなり、安全帯１の装着感が向上する。しかも、脚帯１１から腿帯４，５への引っ張り力が付与されていないときには、重合部１２は、腿帯４，５の収容部１３内に隠蔽されて、外観が良好となる。
【符号の説明】
【００３８】
１…安全帯、２，３…肩帯、４，５…腿帯、７…環状接続部材（接続部材）、１１…脚帯、１２…重合部、１３…収容部、３００…連結帯、３１０…折返し部。
【図１】
2020044144.tif 000003
【図２】
2020044144.tif 000004
【図３】
2020044144.tif 000005
【図４】
2020044144.tif 000006
【図５】
2020044144.tif 000007
【図６】
2020044144.tif 000008
【図７】
2020044144.tif 000009
【図８】
2020044144.tif 000010